(57)【要約】【課題】従来のような鍵本体が紛失や盗難などに遇った場合におけるキーロック（錠）の鍵の専門家への開錠の依頼手続きや錠、鍵の造り替え、錠、鍵の交換作業などの時間や手間を掛けずに、パソコン管理者自身によって、速やかに開錠することができ、パソコンを用いた業務に支障や不都合を生じさせずに、直ちにパソコンを使用可能とすることができるようにすることにある。【解決手段】パソコンＡ本体の外面に設けられたフック差込用孔ａ内に差し込む第１の係合用フックＦ1 を一端部に取り付け、固定物を他端部に連結した索体Ｅとから構成される鍵部１と、該フック差込用孔ａ内に差し込まれる前記鍵部１の第１の係合用フックＦ1 に該パソコンＡ本体内部にて係合可能な第２の係合用フックＦ2 と、係合実施（施錠）と係合解除（開錠）とを行う施錠開錠動作部３とから構成される錠部２とを備える。【選択図】図２
2009162012.tif 000002
【特許請求の範囲】
【請求項１】
ａ）パソコンＡ本体の外面に設けられたフック差込用孔ａ内に差し込む第１の係合用フックＦと、該第１の係合用フックＦ1 を一端部に取り付け、建屋物、机、什器等の固定物を他端部に連結した索体Ｅとから構成される鍵部１と、
ｂ）前記パソコンＡ本体のフック差込用孔ａの内部に設けられ、該フック差込用孔ａ内に差し込まれる前記鍵部１の第１の係合用フックＦ1 に該パソコンＡ本体内部にて係合可能な第２の係合用フックＦ2 と、該第２の係合用フックＦ2 を駆動させて第１の係合用フックＦ1 と第２の係合用フックＦ2 との係合実施（施錠）と係合解除（開錠）とを行う施錠開錠動作部３とから構成される錠部２とを備え、
ｃ）前記施錠開錠動作部３は、パソコンＡ本体に搭載する施錠制御アプリケーションプログラムに基づいて施錠制御部４から発信する認証指令信号にて動作し、
ｄ）前記鍵部１の第１の係合用フックＦ1 と錠部２の第２の係合用フックＦ2 との係合実施（施錠）と係合解除（開錠）とを行うことを特徴とするパソコン盗難防止用錠前。
【請求項２】
請求項１記載のパソコン盗難防止用錠前において、前記鍵部１の索体Ｅが、金属製の鎖又はチェーンであるパソコン盗難防止用錠前。
【請求項３】
請求項１又は２記載のパソコン盗難防止用錠前において、前記認証指令信号が、ＩＤナンバー、パスワード、記号等の暗号認証、又は指紋等の生体認証に基づく認証指令信号であるパソコン盗難防止用錠前。
【発明の詳細な説明】
【技術分野】
【０００１】
本発明は、パソコンに搭載したソフトウエアの認証機能を用いて、パソコン本体の盗難を防止するための認証機能を用いたパソコン盗難防止用錠前に関する。
【背景技術】
【０００２】
ノート型パソコンやディスクトップ型パソコン等のパソコン（ＰＣ）本体の盗難を防止するための従来の盗難防止方法としては、一般的にパソコン本体を、建屋内にある机（デスク）、柱、壁等の固定物に鎖やチェーン等を用いて連結し、その連結部分を機械的な構造の錠と鍵によって施錠する方法が採用されている。
【０００３】
このような盗難防止方法には、例えば頑丈な金属製の鎖やチェーン（索体）の一端部にキーロック（錠）を取り付けたチェーン付きキーロックが使用される。チェーン付きキーロックのチェーン他端部を、机（デスク）等の固定物にずれないように連結し、チェーンの一端部のキーロック部分にあるフックをパソコン本体の側面などに設けたフック差込孔内に差し込んだ後、キーロック（キーロックのフック）を開閉するための鍵（キー）をキーロックの鍵孔内に挿入する。
【０００４】
その後、キーロックの鍵孔内に挿入した鍵を、手指にて施錠方向に回転させ、そのパソコン本体内に差し込まれているキーロックのフック部分を、パソコンのフック差込孔内にて外れないようにロックして施錠し、手指にて開錠方向に回転させて、そのパソコン本体内に差し込まれているキーロックのフック部分を、パソコンのフック差込孔内にてアンロックして開錠するものである。
【０００５】
これにより、パソコン本体が、キーロック（錠）とチェーンとによって固定物に連結されて、その位置から持ち運びや移動ができない状態となり、盗難が防止される。このようなパソコン盗難防止のための特許技術としては、例えば特許文献１、特許文献２、特許文献３などがある。
【０００６】
このようなチェーン付きキーロック（錠）自体は、それを開錠するための鍵（キー）と一対で販売されており、このような機械的な構造のキーロック（錠）及び鍵は、通常、パソコンの管理者（使用者）自身によって管理されている。そのためにＰＣ盗難防止用のキーロックの鍵の管理は、パソコン管理者（使用者）自身が厳重に管理する必要がある。
【０００７】
しかしながら、パソコン管理者（使用者）自身が厳重に管理していても、万が一の鍵本体の紛失や盗難などの懸念事項は存在する。また、パソコン管理者による鍵の管理において、鍵本体が紛失や盗難に遇った場合には、そのキーロック（錠）用の鍵の専門家への開錠の依頼や発注の手続き、あるいは鍵の専門家によるキーロックと鍵の両方の造り替えや取り替えなどの時間や手間が掛かり、その間は、パソコンを使用することが不可能となって、パソコンを用いた業務に支障や不都合を生じる等の問題がある。
【０００８】
以下に、本願に関連する先行技術文献を記載する。
【特許文献１】特開平１０−２２５３４６号公報
【特許文献２】登録実用新案第３０４１７４２号公報
【特許文献３】登録実用新案第３０６２０１０号公報
【発明の開示】
【発明が解決しようとする課題】
【０００９】
本発明の課題は、パソコンの盗難防止策におけるパソコン管理者による錠や鍵の管理において、従来以上の厳重な盗難防止対策が得られるとともに、従来のような鍵本体が紛失や盗難などに遇った場合におけるキーロック（錠）の鍵の専門家への開錠の依頼手続きや錠、鍵の造り替え、錠、鍵の交換作業などの時間や手間を掛けずに、パソコン管理者自身によって、速やかに開錠することができ、パソコンを用いた業務に支障や不都合を生じさせずに、直ちにパソコンを使用可能とすることができるようにすることにある。
【課題を解決するための手段】
【００１０】
本発明の請求項１に係る発明は、
ａ）パソコンＡ本体の外面に設けられたフック差込用孔ａ内に差し込む第１の係合用フックＦと、該第１の係合用フックＦ1 を一端部に取り付け、建屋物、机、什器等の固定物を他端部に連結した索体Ｅとから構成される鍵部１と、
ｂ）前記パソコンＡ本体のフック差込用孔ａの内部に設けられ、該フック差込用孔ａ内に差し込まれる前記鍵部１の第１の係合用フックＦ1 に該パソコンＡ本体内部にて係合可能な第２の係合用フックＦ2 と、該第２の係合用フックＦ2 を駆動させて第１の係合用フックＦ1 と第２の係合用フックＦ2 との係合実施（施錠）と係合解除（開錠）とを行う施錠開錠動作部３とから構成される錠部２とを備え、
ｃ）前記施錠開錠動作部３は、パソコンＡ本体に搭載する施錠制御アプリケーションプログラムに基づいて施錠制御部４から発信する認証指令信号にて動作し、
ｄ）前記鍵部１の第１の係合用フックＦ1 と錠部２の第２の係合用フックＦ2 との係合実施（施錠）と係合解除（開錠）とを行う
ことを特徴とするパソコン盗難防止用錠前である。
【００１１】
本発明の請求項２に係る発明は、
上記請求項１に係るパソコン盗難防止用錠前において、前記鍵部１の索体Ｅが、金属製の鎖又はチェーンであるパソコン盗難防止用錠前である。
【００１２】
本発明の請求項３に係る発明は、
上記請求項１又は２に係るパソコン盗難防止用錠前において、前記認証指令信号が、ＩＤナンバー、パスワード、記号等の暗号認証、又は指紋等の生体認証に基づく認証指令信号であるパソコン盗難防止用錠前である。
【発明の効果】
【００１３】
本発明のパソコン盗難防止用錠前は、盗難を防止するためのパソコンＡ本体に搭載する施錠開錠制御アプリケーションプログラムに基づいて、施錠制御部４から発信する認証指令信号に基づいて動作する施錠開錠動作部と、当該パソコンを管理する管理者（パソコンユーザー）に予め付与されている当該管理者だけが知り得る認証情報の入力により発生するパソコン施錠とパソコン開錠のための認証指令信号にて動作する施錠開錠動作部を備えている。
【００１４】
そして、パソコンの盗難防止策におけるパソコン管理者によるパソコン錠前の錠や鍵の管理においては、当該管理者だけが知り得る認証情報の入力により、当該パソコンに搭載する施錠開錠制御アプリケーションプログラムにアクセスすることによって、はじめて、当該パソコンの使用前後に必要な開錠、施錠を電子的操作にて行うことができるようになっている。
【００１５】
そのために、従来以上の厳重な盗難防止対策が得られるとともに、従来のような鍵本体
が紛失や盗難などに遇った場合におけるキーロック（錠）の鍵の専門家への開錠の依頼手続きや錠、鍵の造り替え、錠、鍵の交換作業などの時間や手間を掛けずに、パソコン管理者自身によって、速やかに施錠や開錠をすることができ、パソコンを用いた業務に支障や不都合を生じさせずに、直ちにパソコンを使用可能とすることができる優れた効果があるものである。
【発明を実施するための最良の形態】
【００１６】
本発明のパソコン盗難防止用錠前を、実施の形態に基づいて図面を参照し、以下に詳細に説明する。
【００１７】
図１は、本発明の錠前の一実施例におけるパソコンＡ本体（パソコンデータ処理制御部）と、パソコン用の液晶表示画面などディスプレイ画面Ｂと、パソコン用のキーボードＣと、パソコン操作用のマウスＤである。
【００１８】
本発明におけるパソコンＡ本体（パソコンデータ処理制御部）は、その電子的機構や構造や機能を、特に限定するものではなく、例えば、一般的な構造であって、電源端子部１１と、データ制御部１２（ＣＰＵ）及びマイクロプロセッサ１３と、ハードディスクドライブ１４（ＨＤＤ）と、ランダムアクセスメモリ１５（ＲＡＭ）と、フロッピー（登録商標）ディスク（ＦＤ）ドライブ１６（ＦＤＤ）と、コンパクトディスク（ＣＤ）ドライブ１７（ＣＤＤ）と、ＰＣカードスロット１８と、ＳＤカードスロット１９とを備えている。
【００１９】
本発明の錠前におけるパソコンＡ本体には、上記の機構や機能の他に、後述する第１の係合用フックＦ1 と第２の係合用フックＦ2 との係合実施（施錠）と係合解除（開錠）の両動作を行う施錠開錠動作部３と、施錠制御部４（施錠・開錠制御部）とを備えている。またパソコンＡ本体には、搭載するＨＤＤ１４とＲＡＭ１５から供給される制御アプリケーションプログラムに基づいて、前記施錠開錠動作部３に対し、係合実施（施錠）と係合解除（開錠）の両動作を許可して、その動作を指令するための認証指令信号を発信する施錠制御部４を備えている。なお、施錠開錠動作部３と施錠制御部４は、データ制御部１２（ＣＰＵ）及びマイクロプロセッサ１３により制御動作可能となっている。
【００２０】
また、本発明の錠前におけるパソコンＡ本体には、図２（ａ）の正面図に示すように、パソコンＡ本体の外装板（キャビネットＡ1 ）の外面の一部に、錠部２としてフック差込用孔ａが設けられ、その差込用孔ａはキャビネットＡ1 内に連通している。
【００２１】
また、本発明の錠前におけるパソコンＡ本体には、図２（ｂ）に示すように、金属製の鎖などの索体Ｅと、該索体Ｅの一端部に連結され、パソコンＡ本体の前記フック差込用孔ａ内に、差し込み、引き抜きが可能な金属製などの板状体やシャフト状体の第１の係合用フックＦ1 と、該フックＦ1 の差し込み方向に対して直交する方向にある片側又は両側の側端部に設けた１又は２以上の切欠部Ｆ11から構成される鍵部１を付属品として備えている。
【００２２】
本発明の錠前におけるパソコンＡ本体には、図２（ｃ）の平面図に示すように、錠部２を備え、該錠部２は、パソコンＡ本体のキャビネットＡ1 の外面に設けた前記フック差込用孔ａを備え、その差込用孔ａは、そのキャビネットＡ1 内に装備した施錠開錠動作部３に連通していて、キャビネットＡ1 の内面側の前記施錠開錠動作部３には、第２の係合用フックＦ2 が設けられ、フック差込用孔ａ内に差し込まれた第１の係合用フックＦ1 は第２の係合用フックＦ2 と対峙するようになっている。
【００２３】
前記施錠開錠動作部３は、フック差込用孔ａ内に差し込まれた第１の係合用フックＦ1 とそれと対峙する第２の係合用フックＦ2 との係合実施（施錠）と係合解除（開錠）の両
動作を行うようになっている。
【００２４】
本発明の錠前におけるパソコンＡ本体の内部にある錠部２を構成する施錠開錠動作部３の構造の一例を、図３（ａ）に示す施錠開錠動作部３の拡大側面図、及び図３（ｂ）、及び図４（ａ）〜（ｂ）の拡大正面図に基づいて以下に説明する。
【００２５】
図３（ａ）の拡大側面図、及び図３（ｂ）の拡大上面図に示すように、錠部２を構成する施錠開錠動作部３は、パソコンＡ本体のキャビネットＡ1 の内部にフック差込用孔ａと対峙して、マイクロモーター等の回転駆動源（図示せず）にて駆動回転可能な回転軸２１ａに軸支された１対２個の円形状の回転体２１、２１と、該各々回転体２１の円周面の１個所に設けた凹状の切欠部２２とからなる第２の係合用フックＦ2 を備えている。
【００２６】
錠部２である第２の係合用フックＦ2 の一対の回転体２１、２１は、開錠時には、その各々回転体２１に設けた各々切欠部２２が、図４（ａ）に示すように正対して対峙する位置に回転移動して、回転体２１は回転を停止する。このようにして第２の係合用フックＦ2 の各々切欠部２２が正対して対峙した際には、その対峙した切欠部２２、２２は、パソコンＡ本体の外側からフック差込用孔ａ内に差し込まれる鍵部１の第１の係合用フックＦ1 の両側面部Ｆ12が、該切欠部２２内に嵌挿できるサイズ（奥行き（切欠深度）及び幅など）に設定されていて、その対峙した切欠部２２、２２内に第１の係合用フックＦ1 を差し込み抜き取り（着脱）できるようになっている。
【００２７】
そして、錠部２である第２の係合用フックＦ2 の一対の回転体２１、２１は、施錠時には、その各々回転体２１に設けた各々切欠部２２が、正対して対峙する位置（例えば、その回転位相位置（角度）θを０°とする）から、図４（ｂ）に示すように、互いに離反した位置（例えば、その回転位相位置（角度）θを±０°＜θ＜９０°〜３６０°）に回転移動して、回転体２１は回転を停止するようになっている。
【００２８】
例えば鍵部１である第１の係合用フックＦ1 が、金属製プレートなど板状体であれば、錠部２にある第２の係合用フックＦ2 の切欠部２２は、その第１の係合用フックＦ1 の板幅のプレートの側面部Ｆ12が装通できるような奥行きに設定され、その第１の係合用フックＦ1 の板厚のプレートの側面部Ｆ12が装通できるような幅に設定されている。
【００２９】
次に、本発明の錠前の動作及びその使用形態について、図５（ａ）〜（ｂ）、及び図６（ａ）〜（ｂ）に基づいて以下に説明する。
【００３０】
図５（ａ）〜（ｂ）は、鍵部１を錠部２に差し込んだ状態における拡大図であり、パソコンＡ本体の外側からフック差込用孔ａ内に差し込まれた第１の係合用フックＦ1 と、そのパソコンＡ（キャビネットＡ1 ）本体の内側にあるキャビネットＡ1 内側のフック差込用孔ａと連通する施錠開錠動作部３、及びその施錠開錠動作部３に設けられた第２の係合用フックＦ2 を説明する拡大側面図、図６（ａ）〜（ｂ）は、その拡大正面図である。
【００３１】
図５（ａ）の側面図、図６（ａ）の正面図に示すように、錠部２である施錠開錠動作部３は、回転軸２１ａに軸支されてマイクロモーター等にて駆動回転可能な１個又は２個の円形状の回転体２１と、該回転体２１の円周面の１個所に設けた切欠部２２とからなる第２の係合用フックＦ2 を備えている。
【００３２】
まず、図２（ａ）に示すパソコンＡ本体の錠部２であるフック差込用孔ａ内に、図２（ｂ）に示す鍵部１である第１の係合用フックＦ1 を、図２（ｃ）に示すように差し込み、施錠する場合について以下に説明する。
【００３３】
まず、図２（ｃ）に示すように鍵部１の第１の係合用フックＦ1 をフック差込用孔ａ内に差し込む際には、図３（ａ）に示す錠部２である施錠開錠動作部３の第２の係合用フックＦ2 の一対の回転体２１を、施錠開錠動作部３の制御によりマイクロモーター（ステップモーター、パルスモーターなど）などにて駆動回転させ、図３（ｂ）及び図４（ａ）に示すように、各々回転体２１の切欠部２２を正対する回転位相位置に位置決めして対峙させて回転を停止させる。この回転位相の検出は、回転体２１の回転軸２１ａ等に取り付けた所定回転角度（０°〜３６０°の範囲）毎に回動するステップモーターや回転位相検出用のエンコーダ（ロータリー式）などにて行う。
【００３４】
図４（ａ）に示すように施錠開錠動作部３の一対の回転体２１、２１の切欠部２２が正対した状態で、図５（ａ）及び図６（ａ）〜（ｂ）に示すように、第１の鍵部１の第１の係合用フックＦ1 を、フック差込用孔ａ内に、該第１の係合用フックＦ1 の切欠部Ｆ11が回転体２１に正対する位置まで差し込む。なお、施錠開錠動作部３の一対の前記第２の係合用フックＦ2 、Ｆ2 の奥部には、第１の係合用フックＦ1 の先端部を該フックＦ1 の切欠部Ｆ11が回転体２１に正対する位置にて当接させる停止板２４（ストッパ）が必要に応じて設けられている。
【００３５】
続いて、回転体２１を駆動回転させ、図６（ｂ）に示すように、各々切欠部２２の位置を、互いに離反した位置（例えば、その回転位相位置（角度）θを±０°＜θ＜９０°〜３６０°）まで回転移動させて、回転体２１における切欠部２２のない円周部分を、第１の係合用フックＦ1 の切欠部Ｆ11内に嵌合装填させて回転を停止させる。これにより、鍵部１である第１の係合用フックＦ1 は、錠部２である第２の係合用フックＦ2 、Ｆ2 の回転体２１の切欠部２２のない円周部分により、フック差込用孔ａから引き抜くことができずにロックされ、施錠される。
【００３６】
このようにして、前記第１の係合用フックＦ1 の差し込み幅方向の片側又は両側の切欠部Ｆ11及び側面部Ｆ12は、第２の係合用フックＦ2 の回転体２１の外端面（周面と直交するスラスト面）により係合される。そして固定物に結び付けられた索体Ｅに取り付けられた鍵部１である第１の係合用フックＦ1 は、パソコンＡ本体の錠部２であるフック差込用孔ａから抜け外れず、パソコン本体Ａは索体Ｅによって固定物に連結されて、盗難や不用意な移動等からパソコン本体Ａを保護することができるものである。なお、施錠された状態の錠前において、鍵部１の第１の係合用フックＦ1 を、錠部２の第２の係合用フックＦ2 から無理に引き抜いた場合には、鍵部１又は／及び錠部２は破壊されて、パソコンＡ本体は使用不能となるようになっている。
【００３７】
次に、本発明のパソコン盗難防止用錠前の使用形態の一例を、図７〜図１３のフローチャート図に基づいて以下に説明する。
【００３８】
＜ステップＳ１＞
パソコンＡ（パソコンデータ処理制御部）の管理者（パソコンユーザー、施錠開錠者）はパソコンの駆動電源を入れる。
【００３９】
＜ステップＳ２＞
パソコンＡのパソコンデータ処理制御部及びオペレーティンクシステム（ＯＳ）が起動し、スタートアッププログラムが実行される。
【００４０】
＜ステップＳ３＞
施錠開錠用の認証アプリケーションプログラムが起動する。
【００４１】
＜ステップＳ４＞
パソコン画面上に施錠・開錠操作コマンドが表示される。スタートアップ及び認証アプリケーションプログラムに基づいて、パソコン画面上に起動画面が表示されて、各種の操作タイトル名、「盗難防止用錠前の施錠・開錠操作」「操作キャンセル」などの操作選択名、プログラムメーカー名、パソコンユーザー名など施錠・開錠操作コマンドが表示される。
【００４２】
＜ステップＳ５＞
パソコン管理者（パソコンユーザーなど）は、操作選択タイトル名のうち、「施錠・開錠操作」、「キャンセル」のいずれか１つを選択してクリックする。
【００４３】
＜ステップＳ６＞
パソコンＡの画面上の「キャンセル」を選択した場合はステップＳ６ａに進み、「施錠・開錠操作」を選択した場合はステップＳ６ｂに進む。
【００４４】
＜ステップＳ６ａ＞
「キャンセル」を選択すると、施錠開錠用の認証アプリケーションプログラムを終了してステップＳ２に戻る。
【００４５】
＜ステップＳ６ｂ＞
「施錠・開錠操作実行」を選択すると、ＣＰＵ１２、マイクロプロセッサ１２、及び施錠開錠制御部４は、施錠開錠を行うパソコンＡの現在の施錠状態、開錠状態を、ハードディスクメモリ１４（又はＲＡＭ１５）から検索し、判定する。
【００４６】
＜ステップＳ７＞
検索の結果、施錠状態と判定された場合はステップＳ７ａに進み、開錠状態と判定された場合はステップＳ７ｂに進む。
【００４７】
＜ステップＳ７ａ＞
施錠状態と判定されて、パソコンＡの画面に「現在、施錠状態である」とコメント表示される。
【００４８】
＜ステップＳ７ｂ＞
開錠状態と判定されて、パソコンＡの画面に「現在、開錠状態である」とコメント表示される。
【００４９】
＜ステップＳ８ａ＞
現在、パソコンＡは施錠状態であり、「開錠する」、「キャンセル」の選択画面が表示される。
【００５０】
＜ステップＳ８ｂ＞
現在、パソコンＡは開錠状態であり、「施錠する」、「キャンセル」の選択画面が表示される。
【００５１】
＜ステップＳ９ａ＞
「開錠する」を選択した場合はＳ１０に進み、「開錠しない」を選択した場合はＳ４に戻る。
【００５２】
＜ステップＳ９ｂ＞
「施錠する」を選択した場合はＳ１０に進み、「施錠しない」を選択した場合はＳ４に戻る。
【００５３】
＜ステップＳ１０＞
ＣＰＵ１２、マイクロプロセッサ１２、及び施錠開錠制御部４は、ハードディスクメモリ１４（又はＲＡＭ１５）に開錠・施錠のいずれかの操作指示情報を記憶つせる。
【００５４】
＜ステップＳ１１＞
パソコン管理者の暗証番号等の認証情報の登録の有無をハードディスクメモリ１４（又はＲＡＭ１５）から検索、照会する。
【００５５】
＜ステップＳ１２＞
登録済みの場合はステップＳ１９に進み、未登録の場合はステップＳ１３に進む。
【００５６】
＜ステップＳ１３＞
パソコンＡの画面に暗証番号等の認証情報の入力を指示するコメントが表示される。
【００５７】
＜ステップＳ１４＞
パソコン管理者は、施錠、開錠用のユーザーＩＤ、パスワード、暗証番号、暗証記号等の認証情報を、入力指示画面を用いて入力する。
【００５８】
＜ステップＳ１５＞
認証情報を入力後、「ＯＫ」キーをクリックする。
【００５９】
＜ステップＳ１６＞
パソコンＡの画面に認証情報に関する入力事項の変更の有無を問うコメントが表示される。
【００６０】
＜ステップＳ１７＞
入力事項に変更がない場合はステップＳ１８に進み、変更が有る場合はステップＳ１３に戻り、認証情報の再入力を行う。
【００６１】
＜ステップＳ１８＞
「確定」キーをクリックして、パソコンＡの管理者の暗証番号等の認証情報の登録を終了する。
【００６２】
＜ステップＳ１９＞
パソコン画面に生体認証の使用、不使用をパソコンＡの管理者に問うコメントが表示される。
【００６３】
＜ステップＳ２０＞
生体認証を使用する場合はステップＳ２１に進み、使用しない場合はステップＳ３５に進む。
【００６４】
＜ステップＳ２１＞
ＣＰＵ１２、マイクロプロセッサ１２、及び施錠開錠制御部４は、ステップＳ１２にて登録が確認された、又はステップＳ１８にて登録済みとなった、施錠、開錠用のユーザーＩＤ、パスワード、暗証番号、暗証記号等の認証情報に対応する生体認証情報の登録済みの有無をハードディスクメモリ１４（又はＲＡＭ１５）から検索、照会する。
【００６５】
＜ステップＳ２２＞
パソコンＡの管理者の生体認証が登録済みの場合はステップＳ３５に進み、生体認証が
未登録の場合はステップＳ２３に進む。
【００６６】
＜ステップＳ２３＞
パソコンＡの画面に「生体認証未登録」のコメントが表示される。
【００６７】
＜ステップＳ２４＞
パソコンＡの管理者に生体認証の登録をするか登録をしないかを問うコメントが表示され、登録する場合はステップＳ２５に進み、登録しない場合はステップＳ１９に戻る。
【００６８】
＜ステップＳ２５＞
ＣＰＵ１２、マイクロプロセッサ１２、及び施錠開錠制御部４は、パソコンＡの信号入力端子に、生体計測をするための生体計測手段Ｇが装着されているか装着されていないかを確認する。
【００６９】
＜ステップＳ２６＞
生体計測手段ＧがパソコンＡの信号入力端子に装着されている場合はステップＳ３５に進み、生体計測手段ＧがパソコンＡの信号入力端子に装着されていない場合はステップＳ２７に進む。
【００７０】
＜ステップＳ２７＞
パソコンＡの信号入力端子に生体計測手段Ｇを装着するか、装着をキャンセルするかを問うコメントが表示され、装着する場合はステップＳ２８に進み、「キャンセル」する場合はステップＳ１９に進む。
【００７１】
＜ステップＳ２８＞
パソコン管理者は、生体計測手段ＧをパソコンＡの信号入力端子に装着して、装着「ＯＫ」キーをクリックする。
【００７２】
＜ステップＳ２９＞
パソコンＡに搭載する生体認証アプリケーションプログラムが起動し、パソコン画面上に、生体計測手段による生体計測データのパソコンメモリへのダウンロード登録操作画面が表示される。
【００７３】
＜ステップＳ３０＞
施錠、開錠を行うパソコン管理者は、生体計測手段Ｇの計測面に生体（指先の下面）を置き、計測開始「ＯＫ」キーをクリックする。
【００７４】
＜ステップＳ３１＞
生体計測手段Ｇは、パソコンＡの生体認証アプリケーションプログラムに基づいて起動し、計測面の光学センサーが、施錠、開錠を行うパソコン管理者の生体（指先の指紋）を画像として認識し、計測して、生体計測データを得る。
【００７５】
＜ステップＳ３２＞
生体計測手段Ｇが生体の計測を終了すると、パソコンＡの画面上に「計測終了」が表示され、生体計測データの「ダウンロード登録」、「再計測に戻る」、「キャンセル」の選択肢が表示される。
【００７６】
＜ステップＳ３３＞
「ダウンロード登録」を選択した場合はステップＳ３３ａに進み、「ダウンロード登録をしない」を選択した場合はステップＳ３３ｂに進む。
【００７７】
＜ステップＳ３３ａ＞
「ダウンロード登録」を選択すると、パソコンＡのハードディスクメモリ１４（又はＲＡＭ１５）に生体計測データが記憶され登録されて、ステップＳ３４に進む。
【００７８】
＜ステップＳ３３ｂ＞
「ダウンロード登録をしない」を選択すると、「再計測に戻るか」を問うコメントが表示され、「再計測に戻る」を選択した場合はステップＳ２９に戻り、「再計測に戻らない」を選択した場合はステップＳ１９に戻る。
【００７９】
＜ステップＳ３４＞
生体認証データが登録されて、生体認証の登録が終了する。
【００８０】
＜ステップＳ３５＞
パソコン管理者は、「施錠、開錠操作実行」、「キャンセル」のうち、いずれか１つを選択する。
【００８１】
＜ステップＳ３６＞
「施錠、開錠操作実行」を選択した場合はステップＳ３７に進み、「キャンセル」を選択した場合はステップＳ４に戻る。
【００８２】
＜ステップＳ３７＞
パソコン画面に施錠、開錠操作をするパソコン管理者の施錠、開錠用に登録されているユーザーＩＤ、パスワード、暗証番号等の認証情報の入力を指示するコメントが表示される。
【００８３】
＜ステップＳ３８＞
パソコン管理者は、登録されているユーザーＩＤ、パスワード、暗証番号等の認証情報をパソコンＡの画面の入力指示欄に入力する。
【００８４】
＜ステップＳ３９＞
パソコンＡのＣＰＵ１２、マイクロプロセッサ１２、及び施錠開錠制御部４は、入力された認証情報と、登録されている認証情報とを照合する。
【００８５】
＜ステップＳ４０＞
照合の結果、入力された認証情報と登録されている認証情報とが一致している場合にはステップＳ４０ａに進み、不一致の場合はステップＳ４０ｂに進む。
【００８６】
＜ステップＳ４０ａ＞
入力された認証情報と登録されている認証情報とが一致すると、生体認証の使用・不使用のいずれか１つを選択する選択肢がパソコンＡの画面に表示される。
【００８７】
＜ステップＳ４０ｂ＞
入力された認証情報と登録されている認証情報とが不一致であると、認証情報の再入力を問うコメントがパソコン画面に表示されて、「再入力する」を選択した場合はステップＳ３７に戻り、「再入力しない」を選択した場合にはステップＳ４に戻る。
【００８８】
＜ステップＳ４１＞
パソコンＡの画面に表示された生体認証の使用・不使用のうち、「生体認証を使用」を選択した場合はステップＳ４２に進み、「生体認証を使用しない」を選択した場合はステ
ップＳ５０ａに進む。
【００８９】
＜ステップＳ４２＞
ＣＰＵ１２、マイクロプロセッサ１２、及び施錠開錠制御部４は、パソコン管理者の入力した暗証番号等の認証情報に対応する生体認証の登録の有無をハードディスクメモリ１４（又はＲＡＭ１５）から検索、照会する。
【００９０】
＜ステップＳ４３＞
登録されている場合はステップＳ４４に進み、登録されていない場合はステップＳ２３に進む。
【００９１】
＜ステップＳ４４＞
ＣＰＵ１２、マイクロプロセッサ１２、及び施錠開錠制御部４は、パソコンＡの信号入力端子に、生体計測をするための生体計測手段Ｇが装着されているか装着されていないかを確認し、生体計測手段ＧがパソコンＡの信号入力端子に装着されていない場合はステップＳ４４ａに進み、生体計測手段ＧがパソコンＡの信号入力端子に装着されている場合はステップＳ４４ｂに進む。
【００９２】
＜ステップＳ４４ａ＞
生体計測手段Ｇが装着されていない場合は、パソコンＡの信号入力端子に生体計測手段Ｇを装着した後、装着「ＯＫ」キーをクリックする。
【００９３】
＜ステップＳ４４ｂ＞
生体計測手段Ｇが装着されている場合は、パソコンＡに搭載する生体認証アプリケーションプログラムが起動し、画面に生体計測手段により計測された生体計測データのパソコンＡのハードディスクメモリ１４（又はＲＡＭ１５）へのダウンロード操作画面が表示される。
【００９４】
＜ステップＳ４５＞
パソコン管理者は、パソコンＡのダウンロード操作画面に表示された、例えば「指先下面を生体計測手段の計測面に軽く接触させてください。」の指示に従って、生体計測手段Ｇの計測面に指先下面を置き、計測「ＯＫ」キーをクリックする。
【００９５】
＜ステップＳ４６＞
生体計測手段Ｇは、生体認証アプリケーションプログラムに基づいて起動し、計測面の光学センサーが指先の指紋を画像として認識し、計測して、生体計測データを得る。
【００９６】
＜ステップＳ４７＞
生体計測手段Ｇが計測を終了するとパソコンＡの画面に「計測終了」が表示され、「ダウンロード」、「再計測に戻る」、「キャンセル」の選択肢が表示される。
【００９７】
＜ステップＳ４８＞
「ダウンロードする」を選択した場合はステップＳ４８ａに進み、「ダウンロードしない」を選択した場合はステップＳ４８ｂに進む。
【００９８】
＜ステップＳ４８ａ＞
「ダウンロードする」を選択すると、パソコンＡのハードディスクメモリ１４（又はＲＡＭ１５）に生体計測データが「入力生体計測データ」として記憶されて、ステップＳ４９に進む。
【００９９】
＜ステップＳ４８ｂ＞
「ダウンロードしない」を選択すると、生体の再計測に戻るかを問うメッセージが表示されて、「再計測に戻る」を選択した場合はステップＳ４５に戻り、「再計測に戻らない」を選択した場合はステップＳ４に戻る。
【０１００】
＜ステップＳ４９＞
ＣＰＵ１２、マイクロプロセッサ１２、及び施錠開錠制御部４は、既に登録されている「登録生体認証データ」と、「入力生体認証データ」との照合を行う。
【０１０１】
＜ステップＳ５０＞
照合の結果、「登録生体認証データ」と「入力生体認証データ」が一致している場合はステップＳ５０ａに進み、不一致の場合はステップＳ５０ｂに進む。
【０１０２】
＜ステップＳ５０ａ＞
「登録生体認証データ」と「入力生体認証データ」が一致すると、ステップＳ１０にてパソコンＡのハードディスクメモリ１４（又はＲＡＭ１５）に既に記憶されている「施錠操作指示」（施錠）か、又は「開錠操作指示」（開錠）のいずれの「操作指示情報」であるかを、そのハードディスクメモリ１４（又はＲＡＭ１５）から抽出して、ステップＳ５１に進む。
【０１０３】
＜ステップＳ５１＞
ハードディスクメモリ１４（又はＲＡＭ１５）からの「操作指示情報」の抽出により、［「施錠操作指示」（施錠）］である場合はステップＳ５１ａに進み、［「施錠操作指示（施錠）でない「開錠操作指示」（開錠）］である場合はステップＳ５１ｂに進む。
【０１０４】
＜ステップＳ５１ａ＞
パソコンＡの画面に、「施錠実行」又は「キャンセル」の選択肢が表示される。
【０１０５】
＜ステップＳ５２ａ＞
パソコンＡの画面に表示された「施錠実行」又は「キャンセル」の選択肢のうち、「施錠実行」を選択した場合はステップＳ５３ａに進み、「キャンセル」を選択した場合はステップＳ４に戻る。
【０１０６】
＜ステップＳ５３ａ＞
「施錠実行」を選択すると、パソコンＡの画面に、「差込孔内に鍵部を差し込んでください。」との指示がコメント表示される。
【０１０７】
＜ステップＳ５４ａ＞
パソコンＡの画面に表示された「差込孔内に鍵部を差し込んでください。」との指示に従って、パソコンＡの管理者（施錠者）は、パソコンＡの差込孔ａ内に、鍵部１を差し込む。
【０１０８】
＜ステップＳ５５ａ＞
パソコンＡの施錠制御部４（施錠・開錠制御部）は、差込孔ａ内に差し込まれた鍵部１の先端部の差し込み状態（当接）を停止板２４などに設置されたセンサーにて検知した場合は、「差込完了」として鍵差込完了信号検知を発信し、パソコンａの画面に「差込完了」のコメントが表示されて、ステップＳ５６ａに進む。一方、差込孔ａ内に差し込まれた鍵部１の先端部の差し込み状態（当接）を停止板２４などに設置されたセンサーにて検知しない場合は、「差込不良」として鍵差込不良検知信号を発信し、パソコンａの画面に「差込不良」のコメントが表示されて、ステップＳ５４ａに戻り、パソコン管理者は再度、
鍵部１の差し込み動作を行う。
【０１０９】
＜ステップＳ５６ａ＞
パソコンＡのＣＰＵ１２は、搭載する認証アプリケーションプログラム（施錠制御アプリケーションプログラム）に基づいて、施錠制御部４に施錠実行信号を発信し、施錠制御部４は、施錠・開錠動作部３に認証指令信号である施錠許可信号を発信する。
【０１１０】
＜ステップＳ５７＞
パソコンＡの施錠・開錠動作部３は、施錠制御部４から発信する認証指令信号である施錠許可信号を受信し、該認証指令信号に基づいて施錠動作を行う。
【０１１１】
＜ステップＳ５８＞
パソコンＡの施錠・開錠動作部３による施錠動作により、パソコンＡの錠部２の差込孔ａ内にある回転体２１が駆動回転して、第２の係合用フックＦ2 を施錠方向に回転させ、これにより、パソコンＡの錠部２である差込孔ａ内に差し込まれている状態にある鍵部１の第１の係合用フックＦ1 と第２の係合用フックＦ2 とが係合して錠前が施錠して、施錠動作が終了する。そしてステップＳ４に戻る。
【０１１２】
＜ステップＳ５０ｂ＞
一方、「登録生体認証データ」と「入力生体認証データ」が不一致であると、パソコンＡの画面に生体の再計測を問うコメントが表示され、「再計測する」を選択した場合はステップＳ４５に戻り、生体の再計測を行い、「再計測しない」を選択した場合はステップＳ４に戻る。
【０１１３】
＜ステップＳ５１ｂ＞
パソコンＡの画面に、「開錠実行」又は「キャンセル」の選択肢が表示される。
【０１１４】
＜ステップＳ５２ｂ＞
パソコンＡの画面に表示された「開錠実行」又は「キャンセル」の選択肢のうち、「開錠実行」を選択した場合はステップＳ５３ｂに進み、「キャンセル」を選択した場合はステップＳ４に戻る。
【０１１５】
＜ステップＳ５３ｂ＞
「開錠実行」を選択すると、パソコンＡのＣＰＵ１２は、搭載する認証アプリケーションプログラム（施錠制御アプリケーションプログラム）に基づいて、施錠制御部４に開錠実行信号を発信し、施錠制御部４は、施錠・開錠動作部３に認証指令信号（開錠許可信号）を発信する。
【０１１６】
＜ステップＳ５４ｂ＞
パソコンＡの施錠・開錠動作部３は、施錠制御部４から発信する認証指令信号である開錠許可信号を受信し、該認証指令信号に基づいて開錠動作を行う。
【０１１７】
＜ステップＳ５５ｂ＞
パソコンＡの施錠・開錠動作部３による開錠動作により、パソコンＡの錠部２の差込孔ａ内にある回転体２１が駆動回転して、第２の係合用フックＦ2 を開錠方向に回転させ、これにより、パソコンＡの錠部２である差込孔ａ内に差し込まれて施錠されている状態にある鍵部１の第１の係合用フックＦ1 と第２の係合用フックＦ2 との係合が解除して錠前が開錠して、施錠動作が終了する。そしてステップＳ４に戻る。
【図面の簡単な説明】
【０１１８】
【図１】本発明のパソコン盗難防止用錠前を説明するパソコン本体及びそのデータ処理制御部とディスプレイ画面とキーボードとマウスＤと生体計測手段を説明するブロック図。
【図２】（ａ）は本発明のパソコン盗難防止用錠前におけるパソコン本体及びデータ処理制御部の錠部にある鍵差込孔とディスプレイ画面とキーボードとマウスを説明する全体正面図、（ｂ）は鍵部の全体側面図、（ｃ）はパソコンＡ本体の錠部にある鍵差込孔に鍵部を差し込んだ状態を説明する全体側面図。
【図３】（ａ）は本発明のパソコン盗難防止用錠前におけるパソコン本体内に装備された錠部の構造の一例を説明する拡大側面図、（ｂ）は、その上面図。
【図４】（ａ）〜（ｂ）は本発明のパソコン盗難防止用錠前におけるパソコン本体内に装備された錠部の構造の一例を説明する拡大正面図。
【図５】（ａ）〜（ｂ）は本発明のパソコン盗難防止用錠前におけるパソコン本体内に装備された錠部に鍵部を差し込んだ状態の一例を説明する拡大側面図、（ｂ）はその上面図。
【図６】（ａ）〜（ｂ）は本発明のパソコン盗難防止用錠前におけるパソコン本体内に装備された錠部に鍵部を差し込んだ状態の一例を説明する拡大正面図。
【図７】本発明のパソコン盗難防止用錠前による施錠・開錠動作の一例を説明する動作フローチャート図。
【図８】本発明のパソコン盗難防止用錠前による施錠・開錠動作の一例を説明する動作フローチャート図。
【図９】本発明のパソコン盗難防止用錠前による施錠・開錠動作の一例を説明する動作フローチャート図。
【図１０】本発明のパソコン盗難防止用錠前による施錠・開錠動作の一例を説明する動作フローチャート図。
【図１１】本発明のパソコン盗難防止用錠前による施錠・開錠動作の一例を説明する動作フローチャート図。
【図１２】本発明のパソコン盗難防止用錠前による施錠・開錠動作の一例を説明する動作フローチャート図。
【図１３】本発明のパソコン盗難防止用錠前による施錠・開錠動作の一例を説明する動作フローチャート図。
【符号の説明】
【０１１９】
Ａ…パソコン本体（データ処理制御部）
ａ…差込孔
Ｂ…パソコンディスプレイ画面
Ｃ…キーボード
Ｄ…マウス
Ｅ…索体
Ｆ1 …第１の係合用フック
Ｆ2 …第２の係合用フック
Ｇ…生体計測手段
１…鍵部
２…錠部
３…施錠開錠動作部
４…施錠開錠制御部
１１…電源端子
１２…ＣＰＵ
１３…マイクロプロセッサ
１４…ハードディスクドライブ
１５…ＲＡＭ
１６…フロッピー（登録商標）ディスクドライブ
１７…ＣＤドライブ
１８…ＰＣカードスロット
１９…ＳＤカードスロット
２１…回転体
２２…切欠部
２３…軸受部
２４…停止板
【図１】
2009162012.tif 000003
【図２】
2009162012.tif 000004
【図３】
2009162012.tif 000005
【図４】
2009162012.tif 000006
【図５】
2009162012.tif 000007
【図６】
2009162012.tif 000008
【図７】
2009162012.tif 000009
【図８】
2009162012.tif 000010
【図９】
2009162012.tif 000011
【図１０】
2009162012.tif 000012
【図１１】
2009162012.tif 000013
【図１２】
2009162012.tif 000014
【図１３】
2009162012.tif 000015